(57)【要約】【課題】ディスクの回転数の低い外周側から再生，記録を行うことで、スピンドルモータやトラッキングアクチュエータ、スレッドモータの消費電力を抑え、ディスクドライブ装置のバッテリー持ち時間の長寿命化、バッテリーの小型化、バッテリー温度上昇の対策軽減によるディスクドライブ装置の小型化等を実現することのできる光ディスク等のディスクを得る。【解決手段】線速一定の光ディスク等のディスクＤに各種データを再生，記録する再生／記録コードｃが渦巻き状に形成され、再生／記録コードｃのうち、検索情報等のフォーマットに関する情報をディスクＤの外周側に形成し、その内周側に各種データを形成し、再生／記録コードを光学手段によりディスクの回転数の低いディスク外周側から内周方向へ再生，記録を行うようにした。【選択図】      図３
2004272978.tif 000002
【特許請求の範囲】
【請求項１】
線速一定のディスクに各種データを再生，記録する再生／記録コードが渦巻き状に形成され、上記再生／記録コードを光学手段により上記ディスクの回転数の低いディスク外周側から内周方向へ再生，記録を行うことを特徴とするディスク。
【請求項２】
請求項１記載のディスクにおいて、
上記再生／記録コードのうち、検索情報等のフォーマットに関する情報を上記ディスクの外周側に形成し、その内周側に上記各種データを形成することを特徴とするディスク。
【請求項３】
請求項１記載のディスクにおいて、
上記再生／記録コードのうち、検索情報等のフォーマットに関する情報を上記ディスクの内周側に形成し、その外周側に上記各種データを形成することを特徴とするディスク。
【発明の詳細な説明】
【０００１】
【発明の属する技術分野】
本発明は、ＣＤやＣＤ−ＲＯＭ、ＣＤ−ＲあるいはＤＶＤ等、線速一定なＣＬＶでデータを再生，記録する光ディスク等のディスクに関し、詳しくは、再生／記録コード（データ）をディスクの外周側から内周方向へ再生，記録を行えるようにしたものである。
【０００２】
【従来の技術】
従来、ＣＤやＣＤ−ＲＯＭ、ＣＤ−ＲあるいはＤＶＤに代表される線速一定な光ディスク等であるＣＬＶ（Ｃｏｎｓｔａｎｅ  Ｌｉｎｅａｒ  Ｖｅｌｏｃｉｔｙ）（以下、ＣＬＶという）で再生，記録するディスクでは、図７に示したディスクＤの模式図で示すように光学ピックアップ側から見てピットやウォブル等の再生／記録コード（データ）ｃがディスク最内周の始点から最外周の終点まで時計回り方向に渦巻き状に形成され、ディスクを反時計回り方向に回転させることで、ディスクの内周側から外周方向へアドレスやデータ，フォーマットに必要なコードを再生，記録するようにされている。
【０００３】
例えば、音楽等の再生専用で代表される光ディスクであるＣＤを例にとって図８ａについて説明すると、このディスクの最内周には収録曲のアドレスにあたる検索情報であるＴＯＣ（Ｔａｂｌｅ  ｏｆ  Ｃｏｎｔｅｎｔｓ）（以下、ＴＯＣという）があり、このＴＯＣの検索情報以降、ディスク外周に向かって収録曲にあたるプログラムエリアが形成されている。ＣＤを再生する順序は、まず最内周の検索情報でディスクの収録データを読み取り、以後、指定された収録曲を再生していくものである。
【０００４】
また、書き込み可能な記録用で代表される光ディスクであるＣＤ−Ｒを例にとって図８ｂについて説明すると、このディスクＤの最内周にはＰＣＡ（Ｐｏｗｅｒ  Ｃａｌｉｂｒａｔｉｏｎ  Ａｒｅａ）（以下、ＰＣＡという）があり、このＰＣＡで当該ディスクに合ったレーザーパワーに調整し、ＰＣＡの次の外周側にあるＰＭＡ（Ｐｒｏｇｒａｍ  Ｍｅｍｏｒｙ  Ａｒｅａ）（以下、ＰＭＡという）に暫定的な検索情報を書きながらプログラムエリアにデータを書き込み、このあと、ＣＤ、ＣＤ−ＲＯＭで読めるようにするため、最後にＰＭＡとプログラムエリアの間にあるリードインに最終的な検索情報を書き込み、そして、プログラムエリアの外周のリードアウトにデータ終了を書き込んでいる。
【０００５】
尚、本発明のように再生／記録コードをディスクの外周側から内周方向に再生，記録するようしたディスクに関連する特許文献及び非特許文献は存在していない。
【０００６】
【発明が解決しようとする課題】
ところで、ＣＬＶは線早一定であるためディスクの回転数がディスク内周と外周とでは変化し、内周側が高く、外周側では低くなる。しかも、記録容量がディスク内周側ほど少ないという特徴を持っている。このことは、ディスク内周側ほどディスクを回転させるためのスピンドルモータやトラック偏芯に追従させるピックアップのトラッキングアクチュエータの消費電力が大きく、且つ、ディスクの内周ほど同じデータ容量間のピックアップのアクセスでも、より多くのトラックをジャンプする必要があり、このことは、ピックアップをディスクの内周側へ移動させるためのスレッドモータやディスクの加減速調整を行うスピンドルモータの消費電力が大きくなることになる。
【０００７】
しかしながら、ディスクの殆どは全面に亘ってデータが記録されているものは少なく、また、近年のディスクの低価格化から少量のデータでも一枚のディスクにしてしまうといった傾向があり、このことはディスク内周側、つまり消費電力が大きい内周側でのみデータの記録，再生が行われるため、再生，記録するディスクドライブ装置の消費電力によるバッテリー持ち時間の短寿命化やバッテリーの大型化、バッテリー温度の上昇対策によるディスクドライブ装置が大型化するといった問題があった。
【０００８】
また、ディスクの内周側からアクセスすることは、ディスクの初期起動時にディスクを最大回転数まで立ち上げる必要があり、従って、上述したようなディスクを例えばデジタルカメラやビデオカメラに使用した場合、電源を投入してから撮影したり、撮影した映像を再生するまでの時間が長くかかり、このことは、シャッターチャンスを逃したりする等の使い難さもあった。
【０００９】
本発明は、上述したような課題を解消するためになされたもので、ディスクの回転数の低い外周側から再生，記録を行うことで、スピンドルモータやトラッキングアクチュエータ、スレッドモータの消費電力を抑え、ディスクドライブ装置のバッテリー持ち時間の長寿命化、バッテリーの小型化、バッテリー温度上昇の対策軽減によるディスクドライブ装置の小型化等を実現することのできる光ディスク等のディスクを得ることを目的とする。
【００１０】
【課題を解決するための手段】
上述の目的を達成するため本発明によるディスクは、線速一定のディスクに各種データを再生，記録する再生／記録コードが渦巻き状に形成され、再生／記録コードを光学手段によりディスクの回転数の低いディスク外周側から内周方向へ再生，記録を行うようにしたものである。
【００１１】
例えば、再生／記録コードのうち、検索情報等のフォーマットに関する情報をディスクの外周側に形成し、その内周側に各種データを形成するようしにしたものである。
【００１２】
上述したディスクによれば、ディスクの外周側から内周方向へ再生，記録を行うようにしたので、ディスク外周側の回転数が低いことから、ディスクを回転させるためのスピンドルモータやトラック偏芯に追従させるピックアップのトラッキングアクチュエータの消費電力を小さく抑えることができる。
【００１３】
また、ディスク外周ほど同じデータ容量間のピックアップのアクセスでも、小さなトラックジャンプで済み、ピックアップをディスクの外周側へ移動させるためのスレッドモータやディスクの加減速調整を行うスピンドルモータの消費電力を少さく抑えることができる。これによって、ディスクドライブ装置のバッテリー持ち時間の長寿命化と共にバッテリーの小型化、バッテリー温度上昇対策の軽減によるディスクドライブ装置の小型化を図ることができる。また、電源を投入してからデータを再生，記録するまでを短時間で実現できる。
【００１４】
【発明の実施の形態】
以下、本発明によるディスクの実施の形態を図面を参照して説明する。
【００１５】
図１及び図２は後述する本発明のディスクに記録されている情報を再生したり、ディスクに各種の情報を記録するためのディスクドライブ装置の主要部を示したもので、図１はディスクドライブ装置の平面図、図２は同じく側面図である。
【００１６】
符号１は仮想線で示したディスクＤを回転駆動するための駆動源であるスピンドルモータであり、このスピンドルモータ１と同軸上にターンテーブル２が取り付けられ、ターンテーブル２上に固定装着するためのチャッキングベース３が設けられている。このチャッキングベース３にはその外周方向に３か所に図示しないばねを介してチャッキングフィン４が当該チャッキングベース３よりも飛び出すようにして設けられている。
【００１７】
従って、ターンテーブル２上へのディスクＤの固定は、ディスクのセンター孔をチャッキングベース３に挿入することによって、チャッキングフィン４がチャッキングベース３内にもぐり込んで後退し、ディスクのセンター孔がチャッキングフィン４を通過した時点で、チャッキングフィン４が再び飛び出しディスクＤをターンテーブル２上に固定挿着することができる。
【００１８】
これにより、スピンドルモータ１の駆動力でターンテーブル２を回転駆動することによって、ターンテーブル２上に挿着されたディスクＤを回転されるようになっている。
【００１９】
ディスクＤの回転に対して、光学ピックアップ５の対物レンズ６からレーザー光がディスクＤに照射され、記録されている記録されている情報の再生や各種の情報の記録、消去等が行われる。
【００２０】
光学ピックアップ５はその両端側の受け部５ａ，５ｂを介してピックアップガイド軸７と、これに並行するピックアップサブガイド軸８に保持されディスクＤの半径方向に移動可能にされている。
【００２１】
ここで、ピックアップガイド軸７とは並行にリードスクリュー９が配置され、このリードスクリュー９のスクリュー溝に光学ピックアップ５から張り出しているリードストッパー１０が噛み合い状態で係合されている。また、リードスクリュー９の軸端にはスレッドギア１１が設けられ、スレッドギア１１はスレッド初段ギア１２に噛み合い、スレッド初段ギア１２はスレッドモータ１３の出力軸にある。
【００２２】
すなわち、スレッドモータ１３が駆動されることで、スレッド初段ギア１２からスレッドギア１１を介してリードスクリュー９に回転が伝わり、このリードスクリュー９の回転によってこれに噛み合っているリードストッパー１０が当該リードスクリュー９に沿って移動する。これによって、光学ピックアップ５はピックアップガイド軸７及びピックアップサブガイド軸８に沿ってディスクＤの径方向へ移動し、ディスクＤの記録情報を再生したり、各種の記録情報を記録することができる。
【００２３】
さて、本発明によるディスクは次のように構成されている。
図３に本発明のディスクＤの一つの実施の形態を模式図で示したもので、光学ピックアップ側から見てピットやウォブル等の再生／記録コード（データ）ｃがディスク外径側から反時計回り方向に渦巻き状に形成され、この場合、ディスクを時計回り方向に回転させることで、ディスクの最外周の始点から最内周の終点方向へアドレス，データ，フォーマットに必要なコードを再生，記録するものである。
【００２４】
例えば、音楽等の再生専用で代表されるＣＤを例にとって図４ａについて説明すると、このディスクの最外周には収録曲のアドレスにあたる検索情報であるＴＯＣがあり、このＴＯＣの検索情報以降、ディスク内周に向かって収録曲にあたるプログラムエリアが形成されている。ＣＤを再生する順序は、まず最外周のＴＯＣでディスクの収録データを読み取り、以後、指定された収録曲を再生していくというものである。
【００２５】
また、書き込み可能な記録用で代表されるＣＤ−Ｒを例にとって図４ｂについて説明すると、このディスクＤの最外周にはＰＣＡがあり、このＰＣＡで当該ディスクに合ったレーザーパワーに調整し、ＰＣＡの次の内周側にあるＰＭＡに暫定的な検索情報を書きながらプログラムエリアにデータを書き込み、このあと、ＣＤ、ＣＤ−ＲＯＭで読めるようにするため、最後にＰＭＡとプログラムエリアの間にあるリードインに最終的な検索情報を書き込み、そして、プログラムエリアの最内周のリードアウトにデータ終了を書き込むというものである。
【００２６】
このように本発明によるディスクは、ＣＬＶの特徴であるディスクの回転数の低いディスク外周側から内周方向へ再生，記録を行うようにしたので、ディスクの加減速調整を行うためのスピンドルモータやトラック偏芯に追従させる光学ピックアップのトラッキングアクチュエータの消費電力を小さく抑えることができる。
【００２７】
また、ディスク外周ほど同じデータ容量間のピックアップのアクセスでも、小さなトラックジャンプで済み、ピックアップをディスクの外周側へ移動させるためのスレッドモータの消費電力を少さく抑えることができる。これによって、ディスクドライブ装置のバッテリー持ち時間の長寿命化と共にバッテリーの小型化、バッテリー温度上昇対策の軽減によるディスクドライブ装置の小型化を図ることができる。また、電源を投入してからデータを再生，記録するまでを短時間で実現することができる。
【００２８】
また、図５は本発明のディスクＤの別の実施の形態を模式図で示したもので、光学ピックアップ側から見てピットやウォブル等の再生／記録コード（データ）ｃがディスク外径側から時計回り方向に渦巻き状に形成され、ディスクを反時計回り方向に回転させることで、この場合のディスクの再生，記録はディスクの最外周の始点から始まり最内周の終点方向へアドレスやデータ，フォーマットに必要なコードを再生，記録するものである。
【００２９】
これを例えば、音楽等の再生専用で代表されるＣＤを例にとって図６ａについて説明すると、このディスクの内周側には収録曲のアドレスにあたる検索情報であるＴＯＣがあり、このＴＯＣの外周側に収録曲にあたるプログラムエリアが形成されている。このフォーマットは従来例のＣＤ相当で説明したと同じ配列であるが、ＣＤを再生する順序としては、まず内周側のＴＯＣをそのエリアの外周側からディスクの収録データを読み取り、以後、光学ピックアップをジャンプしプログラムエリアの指定された収録曲をディスクの外周側から内周方向へ再生していくというものである。
【００３０】
また、書き込み可能な記録用で代表されるＣＤ−Ｒを例にとって図６ｂについて説明すると、このディスクＤのフォーマットは最内周側から外周方向にＰＣＡ、ＰＭＡ、リードイン、プログラムエリア、リードアウトの順に配列されており、このフォーマットは従来例のＣＤ−Ｒ相当で説明したと同じであるが、ＣＤ−Ｒへの書き込み手順は、ＰＣＡ、ＰＭＡ、リードイン、プログラムエリア、リードアウトのそれぞれのエリアの外周側から書き込むというものである。
【００３１】
このようにしたことによっても、上述した実施の形態と同様にスピンドルモータやトラック偏芯に追従させる光学ピックアップのトラッキングアクチュエータの消費電力を小さく抑えることができ、また、ディスク外周ほど同じデータ容量間のピックアップのアクセスでも、小さなトラックジャンプで済み、ピックアップをディスクの外周側へ移動させるためのスレッドモータの消費電力を少さく抑えることができる。
【００３２】
尚、上述した本発明によるディスクは現状のＣＤやＣＤ−Ｒとは互換性がないので、あくまでＣＤ相当、ＣＤ−Ｒ相当であり、現状のＣＤやＣＤ−Ｒではない。
【００３３】
本発明は、上述しかつ図面に示した実施の形態に限定されるものでなく、その要旨を逸脱しない範囲内で種々の変形実施が可能である。
【００３４】
上述したＣＤ及びＣＤ−Ｒの例で説明したフォーマットは必ずしもこれに限定するものでなく、その他、種々のフォーマットに広く適用可能である。
【００３５】
また、ＣＬＶ用のディスクとしてＣＤとＣＤ−Ｒを例にとって説明したが、ＣＬＶであればＣＤ−ＲＯＭやＤＶＤ等にも広く適用可能である。
【００３６】
【発明の効果】
以上説明したように本発明によるディスクは、線速一定のディスクに各種データを再生，記録する再生／記録コードが渦巻き状に形成され、再生／記録コードを光学手段によりディスクの回転数の低いディスク外周側から内周方向へ再生，記録を行うようにしたので、ディスク外周側の回転数が低いことから、ディスクを回転させるためのスピンドルモータやトラック偏芯に追従させるピックアップのトラッキングアクチュエータの消費電力を小さく抑えることができるといった効果がある。
【００３７】
また、ディスク外周ほど同じデータ容量間のピックアップのアクセスでも、小さなトラックジャンプで済み、ピックアップをディスクの外周側へ移動させるためのスレッドモータやディスクの加減速調整を行うスピンドルモータの消費電力を少さく抑えることができ、ディスクドライブ装置のバッテリー持ち時間の長寿命化と共にバッテリーの小型化、バッテリー温度上昇対策の軽減によるディスクドライブ装置の小型化を図ることができる。また、電源を投入してからデータを再生，記録するまでを短時間で実現できる。
【図面の簡単な説明】
【図１】本発明のディスクが適用されるディスクドライブ装置の主要部の平面図である。
【図２】同じくディスクドライブ装置の側面図である。
【図３】本発明によるディスクのコードとディスク回転方向に関する一実施形態の模式図である。
【図４】ａ  図３のディスクをＣＤを例にとった場合のフォーマットである。
ｂ  図３のディスクをＣＤ−Ｒを例にとった場合のフォーマットである。
【図５】本発明によるディスクのコードとディスク回転方向に関する別の実施形態の模式図である。
【図６】ａ  図５のディスクをＣＤを例にとった場合のフォーマットである。
ｂ  図５のディスクをＣＤ−Ｒを例にとった場合のフォーマットである。
【図７】従来のディスクのコードとディスク回転方向に関する模式図である。
【図８】ａ  従来のディスクをＣＤを例にとった場合のフォーマットである。
ｂ  従来のディスクをＣＤ−Ｒを例にとった場合のフォーマットである。
【符号の説明】
１…スピンドモータ、２…ターンテーブル、３…チャッキングベース、５…光学ピックアップ、６…対物レンズ、７…ピックアップガイド軸、８…ピックアップサブガイド軸、９…リードスクリュー、１３…スレッドモータ、Ｄ…ディスク、ｃ…再生／記録コード
【図１】
2004272978.tif 000003
【図２】
2004272978.tif 000004
【図３】
2004272978.tif 000005
【図４】
2004272978.tif 000006
【図５】
2004272978.tif 000007
【図６】
2004272978.tif 000008
【図７】
2004272978.tif 000009
【図８】
2004272978.tif 000010